【手続補正書】
【提出日】平成21年8月4日(2009.8.4)
【手続補正１】
【補正対象書類名】特許請求の範囲
【補正対象項目名】全文
【補正方法】変更
【補正の内容】
【特許請求の範囲】
【請求項１】
ダウンホール要素と地面上のプロセッサ・サブシステムとの間にて双方向通信するためのシステムであって、
掘削ストリングにおける少なくとも上部部分を備え、ダウンホール要素とプロセッサ・サブシステムとの間における双方向通信の少なくとも一部分を形成しているような複数のワイヤード掘削パイプと、
掘削ストリングに接続されたケリーと、
掘削ストリングを回転させるために、前記ケリーに機械的に結合可能であるような駆動機構と、
掘削ストリングと関連して回転するために、掘削ストリングにおける前記ケリーに取り付けられた、第１の無線式のトランシーバー・サブシステムと、
地面上に隣接する複数のワイヤード掘削パイプの一つと、前記第１のトランシーバー・サブシステムとの間に、電気的に接続されたケーブルと、
前記アップホールのプロセッサ・サブシステムに結合された、第２の無線式のトランシーバー・サブシステムであって、前記第１の無線式のトランシーバー・サブシステムと双方向に通信するような、前記第２の無線式のトランシーバー・サブシステムと、
を備えていることを特徴とするシステム。
【請求項２】
前記ケーブルは、複数のワイヤを備えていることを特徴とする請求項１に記載のシステム。
【請求項３】
ワイヤード掘削パイプにおける前記部分は、それぞれのパイプのジョイントに誘導結合器を有し、前記ケーブルは、誘導結合によって、複数のワイヤード掘削パイプの少なくとも二つに電気的に接続されていることを特徴とする請求項２に記載のシステム。
【請求項４】
前記第１のトランシーバー・サブシステムは、第１のアンテナ・サブシステムを具備し、前記第２のトランシーバー・サブシステムは、第２のアンテナ・サブシステムを具備していることを特徴とする請求項１に記載のシステム。
【請求項５】
前記第１のアンテナ・サブシステムは、複数のアンテナを備えていることを特徴とする請求項４に記載のシステム。
【請求項６】
前記第２のアンテナ・サブシステムは、複数のアンテナを備えていることを特徴とする請求項４に記載のシステム。
【請求項７】
前記駆動機構は、前記ケリーと係合するケリーブッシングを備えてなる回転テーブルを備えていることを特徴とする請求項１に記載のシステム。
【請求項８】
前記ケリーと地面上に隣接する複数のワイヤード掘削パイプの一つとの間に配置されたセーバーサブをさらに備えていることを特徴とする請求項１に記載のシステム。
【請求項９】
前記第１のアンテナ・サブシステムにおけるアンテナと、前記第１の無線式のトランシーバー・サブシステムとは、前記ケリーの実質的に同じ位置に取り付けられていることを特徴とする請求項４に記載のシステム。
【請求項１０】
前記第１のアンテナ・サブシステムにおけるアンテナと、前記第１の無線式のトランシーバー・サブシステムにおける少なくとも一部分とは、前記ケリーのそれぞれ異なる位置に取り付けられていることを特徴とする請求項４に記載のシステム。
【請求項１１】
前記第１のアンテナ・サブシステムは、掘削ストリングにおける前記駆動ストリング部分上の異なる方位角の位置にある複数のアンテナを具備していることを特徴とする請求項４に記載のシステム。
【請求項１２】
前記第２のアンテナ・サブシステムは、複数の間隔を隔てられたアンテナを具備していることを特徴とする請求項４に記載のシステム。
【請求項１３】
前記第１のトランシーバー・サブシステムで使用される電力を発電するための電気発電機をさらに備え、前記電気発電機は、前記ケリーに取り付けられた回転発電要素と、掘削リグにおける静止部分に取り付けられた静止発電要素とを具備していることを特徴とする請求項１に記載のシステム。
【請求項１４】
前記静止発電要素は、磁石のリングを備えていることを特徴とする請求項１３に記載のシステム。
【請求項１５】
前記回転発電要素は、少なくともひとつのステーターコイルを備えていることを特徴とする請求項１４に記載のシステム。
【請求項１６】
前記回転発電要素と静止発電要素とは、近接して配置され、前記磁石のリングからの磁束が、前記少なくともひとつのステーターコイルに交差することを特徴とする請求項１５に記載のシステム。
【請求項１７】
前記電気発電機によって充電される充電式のバッテリーをさらに備え、前記バッテリーは、前記第１のトランシーバー・サブシステムで使用される前記電力を保存することを特徴とする請求項１３に記載のシステム。
【請求項１８】
前記電気発電機によって充電される充電式のバッテリーをさらに備え、前記バッテリーは、前記第１のトランシーバー・サブシステムで使用される前記電力を保存することを特徴とする請求項１６に記載のシステム。
【請求項１９】
前記充電式のバッテリーは、掘削ストリングと関連して回転するために、前記第１のトランシーバー・サブシステムと関連して取り付けられていることを特徴とする請求項１７に記載のシステム。
【請求項２０】
地面にボア孔を掘削する作業に使用するための、掘削リグと、その略上端が掘削リグに機械的に結合可能であり、掘削リグから吊下可能であるような掘削パイプの掘削ストリングと、掘削ストリングの駆動ストリング部分であって、前記掘削ストリングの最も上の掘削パイプと機械的に結合可能なものと、駆動ストリング及び掘削ストリングを回転させるための前記掘削ストリングと機械的に結合可能な駆動機構とを備え、駆動ストリングの領域において電力を発生させるシステムであって、前記駆動ストリングと共に回転するようにそれに取り付けられてなる回転発電要素と、掘削リグの静止部分に取り付けられてなる静止発電要素とを具備している電気発電機を備え、前記回転発電要素は、前記駆動ストリングの領域において電力を発生させることを特徴とするシステム。
【請求項２１】
前記静止発電要素は、磁石のリングを備えていることを特徴とする請求項２０に記載のシステム。
【請求項２２】
前記回転発電要素は、少なくともひとつのステーターコイルを備えていることを特徴とする請求項２１に記載のシステム。
【請求項２３】
前記回転発電要素と静止発電要素とは、近接して配置され、前記磁石のリングからの磁束が、前記少なくともひとつのステーターコイルに交差することを特徴とする請求項２２に記載のシステム。
【請求項２４】
前記電気発電機によって充電される充電式のバッテリーをさらに備え、前記掘削ストリングに取り付けられていることを特徴とする請求項２０に記載のシステム。
【請求項２５】
掘削ストリングのダウンホール装具とアップホール・プロセッサ・サブシステムとの間の通信リンクの少なくとも一部分を形成する掘削遠隔測定サブシステムをさらに備え、前記電気発電機からの前記電力は、前記通信リンクのための電力を提供するように適合していることを特徴とする請求項２０に記載のシステム。
【請求項２６】
掘削ストリングのダウンホール装具とアップホール・プロセッサ・サブシステムとの間の通信リンクの少なくとも一部分を形成する掘削遠隔測定サブシステムをさらに備え、前記電気発電機からの前記電力は、前記通信リンクのための電力を提供するように適合していることを特徴とする請求項２３に記載のシステム。
【請求項２７】
システムが、さらに、
ダウンホール装具と地面上のプロセッサ・サブシステムとの間における双方向通信のためのシステムであって、掘削パイプのストリングの少なくとも上部部分を備えてなるワイヤード掘削パイプの部分を備え、ダウンホール装具と掘削パイプのストリングの上部との間の双方向通信リンクの少なくとも一部分を形成するような上記システムと、掘削ストリングと関連して回転するように、掘削ストリングにおける前記駆動ストリング部分に取り付けられた、第１の無線式のトランシーバー・サブシステムであって、ワイヤード掘削パイプの前記部分に結合されている前記第１の無線式のトランシーバー・サブシステムと、前記アップホール・プロセッサ・サブシステムに接続された、第２の無線式のトランシーバー・サブシステムであって、前記第１の無線式のトランシーバー・サブシステムと双方向に通信する前記第２の無線式のトランシーバー・サブシステムと、を備え、
前記電気発電機からの前記電力は、前記第１のトランシーバー・サブシステムで使用するように適合している、
ことを特徴とする請求項２０に記載のシステム。
【請求項２８】
ボア孔において電力を発生させるシステムであって、
ボア孔の内側を延びる掘削ストリングと、
掘削ストリングの最も上の掘削パイプに機械的に結合された掘削ストリングにおける駆動ストリング部分と、
駆動ストリング部分に機械的に結合されて掘削ストリングに回転を与える駆動機構と、
駆動ストリング部分に取り付けられてそれと共に動くような第１の要素を有してなる発電ユニットと、を備えていることを特徴とするシステム。
【請求項２９】
第１の要素は、電力を発生させるように動作することを特徴とする請求項２８に記載のシステム。
【請求項３０】
第２の要素を有することをさらに含み、第２の要素は第１の要素に対して静止しており、さらに、前記第２の要素に対する前記第１の要素の相対的な運動から電力を発生させることを特徴とする請求項２８に記載のシステム。
【請求項３１】
前記相対的な運動は、前記第２の要素に対する前記第１の要素の回転から構成されていることを特徴とする請求項３０に記載のシステム。
【請求項３２】
第１の要素の振動が電力を発生させることを特徴とする請求項２８に記載のシステム。